(57)【要約】      （修正有）【課題】一方の面のみを引き裂いてジッパー（咬合部）を露出させて開封することができ、かつ、製造加工が容易な包装袋を提供する。【解決手段】第１面部１０、第１面部１０との間に収容部を形成する第２面部１１と、第１面部１０と第２面部１１との間に設けられ、咬合することで収容部を封止する咬合部４２と、第１面部１０の第１方向の一方側の端部から、第１方向の一方側に向かって延出する延出部２０と、を備える。咬合部４２よりも開口部側には、第１面部１０と第２面部１１とを貫通する切込４０が形成されており、延出部２０は、線状に形成された折曲線Ｐと、折曲線Ｐで折り曲げられたときに第２面部１１に形成された切込４０に第２面部１１側から接着する接着部３０と、を備える。【選択図】図１
0003185540.tif 000002
【実用新案登録請求の範囲】
【請求項１】
第１方向の一方側に、前記第１方向と直交する第２方向に沿って開口部が形成された包装袋であって、
第１面部と、
前記第１面部との間に収容部を形成する第２面部と、
前記第１面部と前記第２面部との間に設けられ、咬合することで前記収容部を封止する咬合部と、
前記第１面部の前記第１方向の一方側の端部から、前記第１方向の一方側に向かって延出する延出部と、
を備え、
前記第１面部および前記第２面部の前記第２方向の一方側の端部近傍における、前記咬合部よりも前記開口部側には、前記第１面部と前記第２面部とを貫通し、平面視で前記第２方向と交差する切込が形成されており、
前記延出部は、前記第２方向に沿って線状に形成された折曲部と、前記折曲部で折り曲げられたときに前記第２面部に形成された前記切込に前記第２面部側から接着する接着部と、を備えることを特徴とする包装袋。
【請求項２】
前記切込は、平面視で円弧状である、包装袋。
【請求項３】
前記第１面部の前記第２面部と対向する側の面には、前記切込と交差するようにして、前記第２方向に沿って開封部材が設けられている、包装袋。
【請求項４】
前記延出部が前記折曲部で折り曲げられたときに、前記延出部の前記折曲部よりも前記第１面部側と、前記延出部の前記折曲部よりも前記接着部側と、を連通して貫通する貫通孔が形成されている、包装袋。
【考案の詳細な説明】
【技術分野】
【０００１】
本考案は、包装袋に関する。
【背景技術】
【０００２】
従来から、第１面（一方の面）と第２面（他方の面）との間に形成される収容部を開閉自在とするジッパーを設けることにより、一度開封した後に再封可能な包装袋が提案されている（例えば、特許文献１）。このような包装袋は、開封後においても、再び内容物を密閉して保管できるため、食料品や医療品、日用品等、幅広い品物に対して用いられている。例えば、特許文献１では、このような包装袋は、アルコール等の揮発性の液体成分を含浸させたウエットシートに用いられている。
【先行技術文献】
【特許文献】
【０００３】
【特許文献１】特開２０１１−２５５９０２号公報
【考案の概要】
【考案が解決しようとする課題】
【０００４】
上記のような包装袋は、例えば、特許文献１に示すように、シール等によってジッパーが包装袋の内部に封止された状態で流通し、開封時には包装袋の一方の面に設けられた破断予定部を引きちぎることによってジッパーを露出できる構成となっている。言い換えると、このような包装袋は、包装袋の一方の面のみを切り裂くことによってジッパーを露出できる構成となっている。これにより、ジッパーの咬合を外すことで、包装袋を開封できる。
【０００５】
しかし、このような破断予定部は、包装袋の一方の面のみが引き裂かれるようにするために、他方の面側との接続部のみをカットしなければならない等、加工が複雑で、製造コストもかかるという問題があった。
【０００６】
本考案の一つの態様は、上記従来技術の問題点に鑑みて成されたものであって、一方の面のみを引き裂いてジッパー（咬合部）を露出させて開封することができ、かつ、製造加工が容易な包装袋を提供することを目的の一つとする。
【課題を解決するための手段】
【０００７】
本考案の一つの態様の包装袋は、第１方向の一方側に、前記第１方向と直交する第２方向に沿って開口部が形成された包装袋であって、第１面部と、前記第１面部との間に収容部を形成する第２面部と、前記第１面部と前記第２面部との間に設けられ、咬合することで前記収容部を封止する咬合部と、前記第１面部の前記第１方向の一方側の端部から、前記第１方向の一方側に向かって延出する延出部と、を備え、前記第１面部および前記第２面部の前記第２方向の一方側の端部近傍における、前記咬合部よりも前記開口部側には、前記第１面部と前記第２面部とを貫通し、平面視で前記第２方向と交差する切込が形成されており、前記延出部は、前記第２方向に沿って線状に形成された折曲部と、前記折曲部で折り曲げられたときに前記第２面部に形成された前記切込に前記第２面部側から接着する接着部と、を備えることを特徴とする。
【０００８】
この構成によれば、延出部を折曲部に沿って折り曲げ、接着部によって延出部と第２面部とを接着することで、開口部を閉塞でき、咬合部（ジッパー）を包装袋の内部に封止できる。そして開封時においては、切込が形成された箇所から第１面部を摘み、第２方向へと引張することで、第１面部を切り裂くことができる。これにより、咬合部が露出し、包装袋を開封できる。
【０００９】
ここで、延出部を折曲部に沿って折り曲げた際、延出部に備えられた接着部は、第２面部の切込に第２面部側から接着される。これにより、延出部と第２面部の切込とが接着される。そのため、開封時において第１面部の切込の箇所を摘む際に、第２面部の切込の箇所を共に摘んでしまうことが抑制され、誤って第１面部と共に第２面部を切り裂いてしまうことを抑制できる。したがって、第１面部のみを切り裂くことが容易である。
【００１０】
また、上記のようにして第２面部が切り裂かれることが抑制されるため、第１面部と第２面部とに貫通する切込を、例えば、切込み加工等によって形成できる。そのため、例えば、第１面部のみに切込を形成するような複雑な加工が必要なく、包装袋の製造加工が容易である。また、その結果、製造コストを低減することができる。
【００１１】
前記切込は、平面視で円弧状であってもよい。
この構成によれば、開封時に第１面部を摘むことが容易である。
【００１２】
前記第１面部の前記第２面部と対向する側の面には、前記切込と交差するようにして、前記第２方向に沿って開封部材が設けられていてもよい。
この構成によれば、開封時において、第１面部が開封部材に沿って切り裂かれやすくなるため、第１面部を誤った方向、すなわち、第２方向以外の方向に切り裂いてしまうことを抑制できる。
【００１３】
前記延出部が前記折曲部で折り曲げられたときに、前記延出部の前記折曲部よりも前記第１面部側と、前記延出部の前記折曲部よりも前記接着部側と、を連通して貫通する貫通孔が形成されていてもよい。
この構成によれば、例えば、貫通孔を手提げ用の孔として用いることで、手提げ可能な包装袋が得られる。
【考案の効果】
【００１４】
本考案の一つの態様によれば、一方の面のみを引き裂いて咬合部を露出させて開封することができ、かつ、製造加工が容易な包装袋が得られる。その結果、製造コストを低減できる。
【図面の簡単な説明】
【００１５】
【図１】本実施形態の包装袋を示す平面図である。
【図２】本実施形態の包装袋を示す図であって、図１におけるＡ−Ａ断面図である。
【図３】本実施形態の包装袋を封止した状態を示す平面図である。
【図４】本実施形態の包装袋を開封する手順を示す平面図である。
【図５】本実施形態の包装袋を開封した状態を示す平面図である。
【考案を実施するための形態】
【００１６】
以下、図を参照しながら、本考案の実施形態に係る包装袋について説明する。
なお、本考案の範囲は、以下の実施の形態に限定されるものではなく、本考案の技術的思想の範囲内で任意に変更可能である。また、以下の図面においては、各構成をわかりやすくするために、実際の構造と各構造における縮尺や数等を異ならせる場合がある。
【００１７】
図１は、本実施形態の包装袋１を示す平面図である。図２（ａ）から図２（ｄ）は、本実施形態の包装袋１を示す図であって、図１におけるＡ−Ａ断面図である。
本実施形態の包装袋１は、図１および図２（ａ）に示すように、高さ方向（第１方向，図１の上下方向）の上方側（一方側）に、第１開口部（開口部）６０が設けられた袋体である。
包装袋１は、基材層と熱接着性樹脂層とが積層されたフィルム状の矩形状積層体を高さ方向に折り曲げ、幅方向（第２方向，図１の左右方向）両端部をシール部１２によってシールされることによって形成される。
包装袋１は、第１面部１０と、第２面部１１と、延出部２０と、咬合部４２と、を備える。
【００１８】
図２（ａ）に示すように、第１面部１０と第２面部１１とは、対向して設けられ、第１面部１０と第２面部１１との間には、収容部５０が形成されている。
第１面部１０および第２面部１１の幅方向の左側（第２方向の一方側，図１における左側）の端部には、切込４０が形成されている。切込４０は、咬合部４２よりも高さ方向上方側に形成されている。言い換えると、切込４０は、咬合部４２よりも第１開口部６０側に形成されている。切込４０は、第１面部１０および第２面部１１を貫通して設けられており、第１面部１０に形成された第１切込４０ａと、第２面部１１の第１切込４０ａと対向する位置に形成された第２切込４０ｂと、から構成される。
【００１９】
切込４０は、図１に示すように、平面視円弧状である。切込４０によって、第１面部１０と分離された第１分離部４３ａが形成され、第２面部１１と分離された第２分離部４３ｂが形成される（図２（ａ）参照）。第１分離部４３ａおよび第２分離部４３ｂは、平面視略半円形状である。
【００２０】
図２（ａ）に示すように、第１面部１０の内側の面、すなわち、第２面部１１と対向する側の面には、開封テープ（開封部材）４１が幅方向に沿って接着されている。開封テープ４１は、第１切込４０ａと交差して設けられ、第１分離部４３ａの第２面部１１側の面と接着されている。また、開封テープ４１は、第１切込４０ａの形状に沿って切断されている。
【００２１】
開封テープ４１は、後述するようにして第１面部１０の第１分離部４３ａと共に引張される際に、容易に千切れない程度の強度を有していることが好ましい。開封テープ４１の材質としては、例えば、高密度ポリエチレンや、延伸ポリプロピレン等の樹脂材料が挙げられる。開封テープ４１は、第１面部１０と同じ材質で構成されていてもよい。
【００２２】
延出部２０は、図１および図２（ａ），（ｂ）に示すように、第１面部１０の高さ方向上方側の端部から、高さ方向上方側に向かって延出して設けられている。延出部２０と第１面部１０とは一体として設けられている。延出部２０は、折曲線（折曲部）Ｐよりも第１面部１０側（高さ方向下方側）の第１延出部２１と、折曲線Ｐよりも後述する接着部３０側（高さ方向上方側）の第２延出部２２と、を備えている。図１には、延出部２０が折曲線Ｐで折り曲げられる前の状態が示されている。
第１延出部２１の第２面部１１側の面には、図２（ｂ）に示すように、取手部補強部材２４が接着されている。取手部補強部材２４の材質は、特に限定されず、例えば、プラスチックや厚紙等を用いることができる。
【００２３】
第２延出部２２の第２面部１１側の面における、高さ方向上方側の端部には、接着部３０が設けられている。接着部３０は、例えば、樹脂により構成されている。接着部３０の表面には、図示は省略するが、保護フィルムが貼着されている。接着部３０は、後述するようにして折曲線Ｐに沿って延出部２０を折り曲げた際に、第２面部１１の第２切込４０ｂと第２面部１１側から当接して接着する位置に設けられている。
【００２４】
第１延出部２１および第２延出部２２の幅方向中央には、それぞれ第１貫通孔２３ａおよび第２貫通孔２３ｂが形成されている。第１貫通孔２３ａと第２貫通孔２３ｂとは、折曲線Ｐに対して線対称に形成されている。第１貫通孔２３ａおよび第２貫通孔２３ｂは、後述するようにして第２延出部２２が折曲線Ｐで折り曲げられたときに、第１延出部２１と、第２延出部２２と、を連通して貫通する位置に形成される。
【００２５】
咬合部４２は、図１および図２（ａ）に示すように、幅方向に沿って、第１面部１０と第２面部１１との間に設けられている。咬合部４２は、第１咬合部４２ａと、第２咬合部４２ｂと、を備えている。第１咬合部４２ａは、第１面部１０における第２面部１１側の面に設けられている。第２咬合部４２ｂは、第２面部１１における第１面部１０側の面に、第１咬合部４２ａと対向して設けられている。咬合部４２が設けられている位置は、切込４０が形成されているよりも、高さ方向下方側である。
【００２６】
図２（ａ）に示すように、第１咬合部４２ａには、凹部が形成されており、第２咬合部４２ｂには、凸部が形成されている。第１咬合部４２ａの凹部と第２咬合部４２ｂの凸部とを咬合させることにより、収容部５０を封止できる。そして、第１咬合部４２ａの凹部と第２咬合部４２ｂの凸部との咬み合いを外すことにより、収容部５０と第１開口部６０とが連通され、包装袋１が開封される。
なお、咬合部４２の形態としては、特に限定されず、公知のいかなる形態の咬合部を用いてもよい。
【００２７】
次に、包装袋１に内容物１００を収容して、包装袋１を封止する手順について説明する。
まず、咬合部４２の咬合を外して、第１開口部６０から収容部５０へと内容物１００を挿入し、収容部５０内に内容物１００を収容する。そして、咬合部４２を再び咬合させ、収容部５０を封止する。
【００２８】
次に、図２（ｂ）に示すように、第２延出部２２を折曲線Ｐに沿って第２面部１１側に折り曲げる。そして、図２（ｃ）に示すように、接着部３０によって、第２延出部２２と、第２面部１１および取手部補強部材２４と、を接着する。このとき、接着部３０の表面に貼着された保護フィルムは予め剥がしておく。第２面部１１における第２延出部２２と接着される箇所には、第２切込４０ｂおよび第２分離部４３ｂが含まれる。言い換えると、接着部３０は、第２面部１１に形成された第２切込４０ｂに、第２面部１１側から接着する。
【００２９】
以上により、第１開口部６０は閉塞され、咬合部４２は包装袋１によって覆われる。これにより、包装袋１が封止される。
図３は、封止された包装袋１を示す平面図である。
図２（ｃ）および図３に示すように、包装袋１が封止されることによって、第１延出部２１と、取手部補強部材２４と、第２延出部２２と、が重ね合わされ、取手部２６が形成される。また、第１延出部２１に形成された第１貫通孔２３ａと、第２延出部２２に形成された第２貫通孔２３ｂとが、連通し、持ち手用貫通孔部２５が形成される。
【００３０】
次に、封止された包装袋１の開封手順について説明する。
図４は、封止された包装袋１の開封手順を示す平面図である。
まず、図４に示すように、第１分離部４３ａを摘み、幅方向の右側に引張する。第１分離部４３ａを引張すると、第１分離部４３ａに接着されている開封テープ４１も同時に引張される。これにより、第１切込４０ａから幅方向に沿って第１面部１０が切り裂かれていくと共に、開封テープ４１と、第１面部１０における開封テープ４１の周囲の部分とが、第１面部１０から分離されていく。分離される部分は、帯状であり、第１面部１０が切り裂かれるに従って長くなる。
【００３１】
第１面部１０が幅方向の右側の端部まで切り裂かれると、シール部１２によって、第１面部１０はそれ以上切り裂かれることが抑制される。そして、第１面部１０から分離された、開封テープ４１を含み第１分離部４３ａを先端とする帯状の部分を引きちぎることによって、図２（ｄ）に示すように、第２開口部６１が形成され、咬合部４２が露出する。この状態において、咬合部４２の咬合を外すことにより、包装袋１を開封できる。
【００３２】
図５は、封止した後に包装袋１を開封した状態を示す平面図である。図５に示すように、第２開口部６１と、収容部５０と、が連通され、収容部５０内に収容された内容物１００を取り出すことができる。
また、再度、内容物１００を収容部５０に収容して保管する場合には、咬合部４２を再び咬合させることによって、内容物１００を収容部５０内に封止できる。
【００３３】
本実施形態によれば、包装袋１の開封時における第１面部１０を切り裂く際に、同時に第２面部１１が切り裂かれてしまうことを抑制できる。以下詳細に説明する。
【００３４】
第１面部１０および第２面部１１に貫通して切込４０が設けられている場合には、図４において仮想線で示すように、第１面部１０の第１分離部４３ａを摘む際に、誤って第２面部１１の第２分離部４３ｂを共に摘み、引張してしまうことがある。この場合においては、第１面部１０が切り裂かれると同時に、第２面部１１も切り裂かれ、結果として、取手部２６が包装袋から分離してしまう。
【００３５】
これに対して、本実施形態の包装袋１によれば、包装袋１を封止する際に、接着部３０によって、第２延出部２２と、第２面部の第２切込４０ｂおよび第２分離部４３ｂと、が接着される。そのため、包装袋１を開封する場合において、第１分離部４３ａを摘む際に、第２分離部４３ｂを摘んでしまうことが抑制される。その結果、第１面部１０のみを切り裂いて、咬合部４２を露出させることができる。
【００３６】
また、本実施形態によれば、上記のようにして第２面部１１が切り裂かれることが抑制されるため、第１面部１０と第２面部１１とに貫通する切込４０を、例えば、切込み加工等によって形成できる。これにより、例えば、第１面部１０のみに切込みを形成するような複雑な加工が必要なく、包装袋１の製造加工が容易である。したがって、製造コストを低減することができる。
【００３７】
また、本実施形態のように、第１貫通孔２３ａおよび第２貫通孔２３ｂのような孔が形成されている場合には、これらを打抜き加工する際に、同時に切込４０を形成することもできるため、製造工程を簡略化できる。
【００３８】
また、本実施形態によれば、開封テープ４１が第１面部１０における切り裂かれる部分に設けられている。言い換えると、開封テープ４１は、切込４０に交差するようにして、第１面部１０に接着されている。そのため、第１分離部４３ａを摘んで引張し、第１面部１０を切り裂く際に、第１面部１０の切り裂かれていく方向が、幅方向以外の方向、例えば、高さ方向となることを抑制できる。その結果、第１面部１０を、容易に幅方向に切り裂くことができる。
【００３９】
また、本実施形態によれば、切込４０は平面視で円弧状であるため、第１分離部４３ａが略半円状に形成され、開封時に第１分離部４３ａを摘むことが容易である。
【００４０】
また、本実施形態によれば、第１延出部２１と第２延出部２２とを重ね合わせて取手部２６が形成されるため、取手部２６の強度を向上できる。
また、取手部２６において、第１延出部２１と第２延出部２２との間には、取手部補強部材２４が設けられているため、取手部２６の強度をより向上できる。
【００４１】
また、本実施形態によれば、包装袋１を封止した際に、第１貫通孔２３ａと第２貫通孔２３ｂとが重ね合わさり、連通して持ち手用貫通孔部２５が形成される。そのため、持ち手用貫通孔部２５に手を通すことで、包装袋１を手に提げることができ、包装袋１の持ち運びが容易となる。また、例えば、包装袋１に商品を収容し販売するような場合には、什器のフックに持ち手用貫通孔部２５を通すことで、商品が収容された包装袋１を容易に陳列できる。
【００４２】
なお、本実施形態においては、下記の構成を採用することもできる。
【００４３】
第１貫通孔２３ａおよび第２貫通孔２３ｂは、形成されていなくてもよい。
【００４４】
取手部補強部材２４は、設けられていなくてもよい。
【００４５】
開封テープ４１は、設けられていなくてもよい。
【符号の説明】
【００４６】
１…包装袋、１０…第１面部、１１…第２面部、２０…延出部、２３ａ…第１貫通孔（貫通孔）、２３ｂ…第２貫通孔（貫通孔）、３０…接着部、４０…切込、４１…開封テープ（開封部材）、４２…咬合部、５０…収容部、６０…第１開口部（開口部）、Ｐ…折曲線（折曲部）
【図１】
0003185540.tif 000003
【図２】
0003185540.tif 000004
【図３】
0003185540.tif 000005
【図４】
0003185540.tif 000006
【図５】
0003185540.tif 000007
【手続補正書】
【提出日】平成25年6月19日(2013.6.19)
【手続補正１】
【補正対象書類名】実用新案登録請求の範囲
【補正対象項目名】全文
【補正方法】変更
【補正の内容】
【実用新案登録請求の範囲】
【請求項１】
第１方向の一方側に、前記第１方向と直交する第２方向に沿って開口部が形成された包装袋であって、
第１面部と、
前記第１面部との間に収容部を形成する第２面部と、
前記第１面部と前記第２面部との間に設けられ、咬合することで前記収容部を封止する咬合部と、
前記第１面部の前記第１方向の一方側の端部から、前記第１方向の一方側に向かって延出する延出部と、
を備え、
前記第１面部および前記第２面部の前記第２方向の一方側の端部近傍における、前記咬合部よりも前記開口部側には、前記第１面部と前記第２面部とを貫通し、平面視で前記第２方向と交差する切込が形成されており、
前記延出部は、前記第２方向に沿って線状に形成された折曲部と、前記折曲部で折り曲げられたときに前記第２面部に形成された前記切込に前記第２面部側から接着する接着部と、を備えることを特徴とする包装袋。
【請求項２】
前記切込は、平面視で円弧状である、請求項１に記載の包装袋。
【請求項３】
前記第１面部の前記第２面部と対向する側の面には、前記切込と交差するようにして、前記第２方向に沿って開封部材が設けられている、請求項１または２に記載の包装袋。
【請求項４】
前記延出部が前記折曲部で折り曲げられたときに、前記延出部の前記折曲部よりも前記第１面部側と、前記延出部の前記折曲部よりも前記接着部側と、を連通して貫通する貫通孔が形成されている、請求項１から３のいずれか一項に記載の包装袋。